(57)【要約】【課題】  吊り具が成形品本体部の底部に確実に形成され、しかも、肉厚のコントロールがおこない易いと共に、良好な品質の中空成形品を得ることができる二軸延伸押出ブロー成形方法を提供する。【解決手段】  押出機１より垂下した筒状パリソンｐをプリフォーム成形金型５内に供給し、その筒状パリソンｐ内に一次エアを吹込んで底部に吊り具１０を設けた吊り具付き有底状プリフォームＰに成形する。続けて、吊り具付き有底状プリフォームＰを底部内面に凹陥部５２付き成形品成形用キャビティ５１を有する成形品成形金型５内に供給する。その後、その有底状プリフォームＰ内に二次エアを吹込むと共にストレッチロッドを伸長して、有底状プリフォームＰを、その吊り具１０が凹陥部５２に挿入され、かつ成形品成形金型５のキャビティ５１に一致するまで縦・横に延伸して吊り具付き中空成形品Ｓを成形する。【選択図】  図３
2005074864.tif 000002
【特許請求の範囲】
【請求項１】
クロスヘッドダイを介して垂下する筒状パリソンを、プリフォーム成形用キャビティを有するプリフォーム成形金型内に供給し、
プリフォーム成形金型を型閉して筒状パリソンの一方端に成形品用吊り具を一体的に形成して閉塞すると共に、他方端をパリソン切断装置で切断し、
その筒状パリソン内に一次エア吹込ノズルを挿入して、そのノズルを介して一次エアを吹込んで底部の外方に成形品用吊り具を設けた吊り具付き有底状プリフォームに成形し、
続けて、そのプリフォーム成形金型を型開して吊り具付き有底状プリフォームを一次エア吹込ノズルに吊下して、底部内面に吊り具挿入用凹陥部付き成形品成形用キャビティを有する成形品成形金型内に供給した後、
成形品成形金型を型閉して吊り具付き有底状プリフォーム内に二次エア吹込ノズルおよびストレッチロッドを挿入して二次エアを吹込むと共に、ストレッチロッドを伸長して、吊り具付き有底状プリフォームを、その吊り具が凹陥部に挿入され、かつ成形品成形金型のキャビティに一致するまで縦・横に延伸することを特徴とする吊り具付き中空成形品の二軸延伸押出ブロー成形方法。
【請求項２】
クロスヘッドダイを介して垂下する筒状パリソンを、プリフォーム成形用キャビティを有するプリフォーム成形金型内に供給し、
プリフォーム成形金型を型閉して筒状パリソンの一方端に成形品用吊り具を一体的に形成して閉塞すると共に、他方端をパリソン切断装置で切断し、
その筒状パリソン内に一次エア吹込ノズルを挿入して、そのノズルを介して一次エアを吹込んで底部の外方に成形品用吊り具を設けた吊り具付き有底状プリフォームに成形し、
続けて、そのプリフォーム成形金型を型開して吊り具付き有底状プリフォームを一次エア吹込ノズルに吊下して、底部内面に吊り具挿入用凹陥部付き成形品成形用キャビティを有する成形品成形金型内に供給した後、
成形品成形金型を型閉して吊り具付き有底状プリフォーム内に二次エア吹込ノズルおよびストレッチロッドを挿入すると共に、その有底状プリフォームの吊り具を操作桿で挟持し、その有底状プリフォーム内に二次エアを吹込むと共に、ストレッチロッドを伸長し、さらに、吊り具を挟持した操作桿を下降して、吊り具付き有底状プリフォームを、その吊り具が凹陥部に挿入され、かつ成形品成形金型のキャビティに一致するまで縦・横に延伸することを特徴とする吊り具付き中空成形品の二軸延伸押出ブロー成形方法。
【発明の詳細な説明】
【技術分野】
【０００１】
本発明は、吊り具付き中空成形品の成形方法に関するものであり、詳しくは底部に成形品を吊下げる吊り具が一体的に設けられた中空成形品の二軸延伸押出ブロー成形方法に関するものである。
【背景技術】
【０００２】
従来より、底面に吊下げ用の吊り具が取り付けられた容器は広く知られ、主として医療用の輸液容器として使用され、一部には小型のキャラクター商品や玩具を装填して店頭に垂れ下げ吊り下げて使用されている。
【０００３】
これら吊下げ用吊り具が設けられた容器で、吊下げ用吊り具が容器の底部に一体的に形成されたものは、以下の特許文献１に記載されているもののように、例えば、中空成形機に設けた押出機のクロスヘッドダイから押出されて垂下する筒状パリソンを、容器成形用キャビティを有する成形金型内に供給した後に、成形金型を型閉して筒状パリソンの一方端をパリソン切断装置で切断すると共に、溶融・閉塞して底部に容器用吊り具を一体的に形成し、その筒状パリソン内にエア吹込ノズルを挿入して、そのノズルを介してエアを吹込んで底部に吊下げ用吊り具を設けた容器をブロー成形する押出ダイレクトブロー成形法で行われている。
【特許文献１】特開平７−３２８０９８号公報  また、吊下げ用吊り具を底部に形成した有底状のパリソンを射出成形で成形し、射出成形によって得た、軟らかく可塑性を有するパリソンをブロー成形するホットパリソン法による射出延伸ブロー成形法や、射出成形によって得た、冷却固化したパリソンをブロー成形時に再加熱で可塑化させてブロー成形するコールドパリソン法による射出延伸ブロー成形法で行われている。
【特許文献２】特開２００２−３６２５７４号公報
【発明の開示】
【発明が解決しようとする課題】
【０００４】
前者の押出ダイレクトブロー成形法は、ポリエチレン、ポリプロピレン、ポリエチレンテレフタレートなどの結晶性樹脂やポリ塩化ビニル、ポリスチレンなどの非結晶性樹脂が使用でき、小型容器から大型容器まで広く適用され、吊り具付き容器の成形方法として適している。
【０００５】
しかしながら、底部外面に喰い切りと呼ばれる接合痕（ピンチオフ）が目立ち易いものであり、また、肉厚のコントロールに難があり、精度の高い容器の成形には高度の成形技術を必要とし、しかも、縦延伸が行われないために成形された成形品の透明性に若干難があるものである。
【０００６】
後者の射出延伸ブロー成形法は、前者と同様に、ポリエチレン、ポリプロピレン、ポリエチレンテレフタレートなどの結晶性樹脂やポリ塩化ビニル、ポリスチレンなどの非結晶性樹脂が使用でき、小型容器から大型容器まで広く適用され、パリソンが射出成形により成形されるので、肉厚のコントロールが容易であり、偏肉の少ない精度の高い容器が得られ、底部にピンチオフがなく強度的に有利で、大量な同一形状の吊り具付き容器の成形方法としては適している。
【０００７】
しかしながら、パリソン成形用金型はコンパクトに製作されるので、射出成形されたパリソンは直径に比して肉厚が厚く、そのために直径方向に対する長さ方向のブロー比（延伸）が大きくなり、パリソンの温度分布にムラがあると薄肉の成形品の場合偏肉を生じやすく、また、金型の構造が複雑になるので金型価格が高価となり、しかも、コールドパリソン法の場合にはパリソンを再加熱する装置が必要になるものである。
【課題を解決するための手段】
【０００８】
上記従来の技術的課題を解決するために、請求項１に記載の発明にあっては、クロスヘッドダイを介して垂下する筒状パリソンを、プリフォーム成形用キャビティを有するプリフォーム成形金型内に供給し、プリフォーム成形金型を型閉して筒状パリソンの一方端に成形品用吊り具を一体的に形成して閉塞すると共に、他方端をパリソン切断装置で切断し、その筒状パリソン内に一次エア吹込ノズルを挿入して、そのノズルを介して一次エアを吹込んで底部の外方に成形品用吊り具を設けた吊り具付き有底状プリフォームに成形し、続けて、そのプリフォーム成形金型を型開して吊り具付き有底状プリフォームを一次エア吹込ノズルに吊下して、底部内面に吊り具挿入用凹陥部付き成形品成形用キャビティを有する成形品成形金型内に供給した後、成形品成形金型を型閉して吊り具付き有底状プリフォーム内に二次エア吹込ノズルおよびストレッチロッドを挿入して二次エアを吹込むと共に、ストレッチロッドを伸長して、吊り具付き有底状プリフォームを、その吊り具が凹陥部に挿入され、かつ成形品成形金型のキャビティに一致するまで縦・横に延伸することを特徴としている。
【０００９】
請求項２に記載の発明にあっては、クロスヘッドダイを介して垂下する筒状パリソンを、プリフォーム成形用キャビティを有するプリフォーム成形金型内に供給し、プリフォーム成形金型を型閉して筒状パリソンの一方端に成形品用吊り具を一体的に形成して閉塞すると共に、他方端をパリソン切断装置で切断し、その筒状パリソン内に一次エア吹込ノズルを挿入して、そのノズルを介して一次エアを吹込んで底部の外方に成形品用吊り具を設けた吊り具付き有底状プリフォームに成形し、続けて、そのプリフォーム成形金型を型開して吊り具付き有底状プリフォームを一次エア吹込ノズルに吊下して、底部内面に吊り具挿入用凹陥部付き成形品成形用キャビティを有する成形品成形金型内に供給した後、成形品成形金型を型閉して吊り具付き有底状プリフォーム内に二次エア吹込ノズルおよびストレッチロッドを挿入すると共に、その有底状プリフォームの吊り具を操作桿で挟持し、その有底状プリフォーム内に二次エアを吹込むと共に、ストレッチロッドを伸長し、さらに、吊り具を挟持した操作桿を下降して、吊り具付き有底状プリフォームを、その吊り具が凹陥部に挿入され、かつ成形品成形金型のキャビティに一致するまで縦・横に延伸することを特徴としている。
【発明の効果】
【００１０】
本発明は、押出機のクロスヘッドダイから押出された筒状パリソンを、プリフォーム成形金型内で吊り具付き有底状プリフォームに成形した後、そのプリフォームを成形品成形金型内で二次エアの吹込とストレッチロッドの伸長で、縦・横に延伸成形する二軸延伸押出ブロー成形方法であるので、成形された吊り具付き中空成形品は、接合痕（ピンチオフ）が目立ち難く、吊り具付きが中空成形品本体部に確実に取り付けられ、しかも、肉厚のコントロールが行い易く、優れた精度の吊り具付き中空成形品を成形でき、透明性などにも優れ、良好な品質の中空成形品の成形に繋がるものである。
【００１１】
また、プリフォーム成形金型も所定範囲で比較的任意の形状に製作できるので、成形されたプリフォームの直径と肉厚の比も管理でき、そのために直径方向に対する長さ方向のブロー比（延伸）が成形品に対して適正化でき、プリフォームの温度分布にムラがなく薄肉の成形品の場合でも偏肉を生じることがないものである。
【００１２】
しかも、プリフォーム用や中空成形品用の成形金型は、比較的容易に、かつ安価なものであり、同一形状の吊り具付き中空成形品を大量に成形する上からも優位であり、好適な生産効率を得ることができるものである。
【発明を実施するための最良の形態】
【００１３】
本発明は、高い成形精度や吊下げ用吊り具の強い連結部を必要とする吊り具付き中空成形品を成形することができる押出機とクロスヘッドダイから筒状パリソンを成形し、この筒状パリソンに一次エアを吹き込んで吊り具付き有底状プリフォームをブロー成形し、この吊り具付き有底状プリフォームに二次エアを吹込むと共に、ストレッチロッドを伸長して吊り具付き中空成形品を成形する、二軸延伸押出ブロー成形方法である。
【００１４】
以下、本発明の実施形態を具体的に説明する。
【００１５】
図１〜図４は本発明の二軸延伸押出ブロー成形機を概略的に示すもので、原料樹脂を筒状パリソンｐにするクロスヘッドダイ１１を有する押出機１と、筒状パリソンｐを吊り具１０が付いた有底状プリフォームＰに成形するプリフォーム成形金型２と、一次エアを吹込んで吊り具付き有底状プリフォームＰに成形する一次エア吹込装置４と、吊り具１０が付いた中空成形品Ｓに成形する成形品成形金型５と、二次エアの吹込と縦方向の伸長をして吊り具付き中空成形品Ｓに成形する二軸延伸装置６などから構成してある。
【００１６】
図中３はクロスヘッドダイ１１を介して垂下する筒状パリソンｐを所定の長さに切断するパリソン切断装置である。
【００１７】
その他、図示してないが、前記の成形金型２、５を型締する型締装置や、クロスヘッドダイ１１と一次エア吹込装置４と二軸延伸装置６の間において前記の成形金型２、５を交互に移動させる成形金型移動装置などが備えてある。
【００１８】
押出機１は、ポリエチレン、ポリプロピレン、ポリエチレンテレフタレートなどの原料樹脂を投入する原料投入用ホッパー１２と、押出機１の先端の吐出部に装着して軟化・溶融した原料樹脂を筒状パリソンｐにして垂下させるクロスヘッドダイ１１とを有している。
【００１９】
プリフォーム成形金型２は、クロスヘッドダイ１１の下方（あるいは、一次エア吹込装置４の下方）に位置して、筒状パリソンｐが挿入され、この筒状パリソンｐを上方に開口状の口栓部が形成され、下方の外面に吊り具１０が一体的に形成された吊り具付き有底状プリフォームＰに成形するプリフォーム成形用キャビテイ２１を有している。
【００２０】
一次エア吹込装置４は、プリフォーム成形金型２の上方に位置して、筒状パリソンｐ内に挿入して、一次エアを吹込んで筒状パリソンｐをプリフォーム成形用キャビテイ２１に膨出させて下方外面に吊り具１０を一体的に形成した有底状プリフォームＰに成形する一次エア吹込ノズル４１と、その一次エア吹込ノズル４１を上昇・下降させる一次エア吹込ノズル用駆動機構４２とを有している。
【００２１】
成形品成形金型５は、二軸延伸装置６の下方に位置して、吊り具付き有底状プリフォームＰが挿入され、この吊り具付き有底状プリフォームＰを所定の吊り具１０が付いた中空成形品Ｓに成形する、底部内面に吊り具挿入用凹陥部５２が設けてある成形品成形用キャビテイ５１を有している。
【００２２】
二軸延伸装置６は、成形品成形金型５の上方に位置して、吊り具付き有底状プリフォームＰ内に挿入して、二次エアを吹込むと共に縦方向に伸長して吊り具付き有底状プリフォームＰを成形品成形金型５に膨出させて下方外面に吊り具１０を一体的に形成した中空成形品Ｓに成形する二次エア吹込ノズル６１および縦方向に伸長されるストレッチロッド６２と、その二次エア吹込ノズル６１を上昇・下降させる二次エア吹込ノズル用駆動機構６３およびそのストレッチロッド６２を伸長・縮小させるストレッチロッド用駆動機構６４とを有している。
【００２３】
以上のように構成された二軸延伸押出ブロー成形機において、ポリエチレン、ポリプロピレン、ポリエチレンテレフタレートなどの原料樹脂を押出機１に設けてある原料投入用ホッパー１２に供給し、この押出機１で原料樹脂を溶融・軟化させた状態でクロスヘッドダイ１１を介して筒状パリソンｐとして垂下させ、この筒状パリソンｐをプリフォーム成形用キャビティ２１を有する金型温度が５〜５０℃に設定されているプリフォーム成形金型２内に供給する。
【００２４】
図２に示すように、筒状パリソンｐを内在した状態でプリフォーム成形金型２を型閉して、筒状パリソンｐの一方端に吊り具１０を一体的に形成して閉塞すると共に、筒状パリソンｐの上方（他方端）をパリソン切断装置３で切断する。
【００２５】
プリフォーム成形金型２内に供給され筒状パリソンｐに対して一次エア吹込装置４に備えた一次エア吹込ノズル４１を下降速度１０〜１０００ｍｍ／秒の範囲で下降させ、筒状パリソンｐの上方開口部に一次エア吹込ノズル４１を挿入する。
【００２６】
次いで、一次エア吹込ノズル４を介して０．４〜１．５ＭＰａの一次エアを吹込んで、筒状パリソンｐをプリフォーム成形用キャビティ２１に膨出させて、図３及び図５に示すような吊り具１０が付いた有底状プリフォームＰに成形する。
【００２７】
成形された吊り具付き有底状プリフォームＰは、リング部を設けた開口部と胴部および吊り具１０が付いた底部とからなり、図３に示すように開口部には上方の余剰樹脂部（上ばり）が、底部の接合部には下方の余剰樹脂部（下ばり）が発生している。なお、これら余剰樹脂部は吊り具付き有底状プリフォームＰに成形された時に除去される。
【００２８】
成形された吊り具付き有底状プリフォームＰは、吊り具挿入用凹陥部５２を設けた成形品成形用キャビティ５１を有する成形品成形金型５内に供給されて吊り具１０が付いた中空成形品Ｓに成形される。
【００２９】
吊り具付き有底状プリフォームＰを延伸適温のガラス転移点付近の温度にした後、プリフォーム成形金型２を型開して、吊り具付き有底状プリフォームＰを一次エア吹込ノズル４１に吊下した状態で、型開された成形品成形用キャビティ５１を有し金型温度が５〜７０℃に設定されている吊り具挿入用凹陥部５２を設けた成形品成形金型５内に供給する。
【００３０】
吊り具付き有底状プリフォームＰを成形品成形金型５内に供給した後、一次エア吹込ノズル４１を上昇させて吊り具付き有底状プリフォームＰの開口部より離脱させ、図４に示すように吊り具付き有底状プリフォームＰを成形品成形金型５内に内在させ、後に、成形品成形金型５を型閉する。
【００３１】
なお、一次エア吹込ノズル４１の上昇・下降は、一次エア吹込ノズル４１に連通する一次エア吹込ノズル用駆動機構４２の電動機４３によって行われる。
【００３２】
次いで、図４に示すように吊り具付き有底状プリフォームＰを内在した吊り具挿入用凹陥部５２を設けた成形品成形金型５を、成形金型移動装置（図示せず）によって、吊り具付き有底状プリフォームＰに成形した位置より中空成形品Ｓに成形する位置に移動させる。
【００３３】
その後、二軸延伸装置６に備えた二次エア吹込ノズル６１とストレッチロッド６２の両者を同調させて下降して、二次エア吹込ノズル６１の端縁を吊り具付き有底状プリフォームＰの開口部の天面などに当接してその吊り具付き有底状プリフォームＰの開口部近傍を水密的に封止すると共に、ストレッチロッド６２の少なくとも先端部を吊り具付き有底状プリフォームＰ内に挿入する。
【００３４】
二次エア吹込ノズル６とストレッチロッド７の下降は、二次エア吹込ノズル６１が連通する二次エア吹込ノズル用駆動機構６３の電動機６５およびストレッチロッド６２が連通するストレッチロッド駆動機構６４の電動機６６とを連携して駆動して、二次エア吹込ノズル６１とストレッチロッド６２を下降速度３００〜１５００ｍｍ／秒の範囲でコントロールしながら両者を同調して行われる。
【００３５】
なお、二次エア吹込ノズルとストレッチロッドとの下降速度の同調は、基準軸の動作に合わせて補間対称軸が追従して動作する二軸直線補間制御、即ち、基準軸（または補間対称軸）になるストレッチロッドおよび補間対称軸（または基準軸）になる二次エア吹込ノズルの下降終点（終点アドレス）の設定と基準軸になるストレッチロッド（または二次エア吹込ノズル）の下降速度を設定することで、指定の軌道を描く動作をする制御で行われる。
【００３６】
続いて、図４、図６に示すように吊り具付き有底状プリフォームＰ内へ二次エア吹込ノズル６１およびストレッチロッド６２を介して二次エアを吹込むと共に、ストレッチロッド６２を伸長して、吊り具付き有底状プリフォームＰを、吊り具挿入用凹陥部付き成形品成形金型５のキャビティ５１に一致し、かつ有底状プリフォームＰの吊り具１０が凹陥部５２に挿入するまで縦・横方向に延伸させて中空成形品Ｓに成形する。
【００３７】
二次エア吹込ノズル６１の二次エア吹込みとストレッチロッド６２の伸長は、二次エア吹込ノズル６１による吊り具付き有底状プリフォームＰの開口部近傍の封止、およびストレッチロッド６２の吊り具付き有底状プリフォームＰの開口部への挿入とほぼ同時に行う。
【００３８】
そして、吊り具付き有底状プリフォームＰ内に二次エア吹込ノズル６１に設けた吹込孔およびストレッチロッド６２に設けた吹込孔を介して０．４〜３ＭＰａの二次エアを吹込むと共に、ストレッチロッド６２を伸長速度３００〜１５００ｍｍ／秒の範囲でストレッチロッド６２をコントロールしながら伸長して、吊り具付き有底状プリフォームＰを縦に１．５〜３．０倍、横に２．０〜５．０倍延伸して成形品成形金型５の吊り具挿入用凹陥部付き成形品成形用キャビティ５１に一致し、かつ有底状プリフォームＰの吊り具１０が凹陥部５２に挿入するまで縦・横方向に延伸・膨出させて、図６、図７に示す吊り具付き中空成形品Ｓに成形する。
【００３９】
吊り具付き中空成形品Ｓに成形された後、成形品成形金型５を型開して、成形された吊り具付き中空成形品Ｓを二次エア吹込ノズル６１に吊下した状態で、成形品成形金型５より離型させ、所定の位置に移送して吊り具付き中空成形品Ｓを集積する。
【００４０】
本発明の他の実施形態について説明する。
【００４１】
この実施形態の二軸延伸押出ブロー成形機は、図８〜図１０に示す吊り具挿入用凹陥部付き成形品成形用キャビティを有する成形品成形金型以外は、前記実施形態の二軸延伸押出ブロー成形機とほぼ同様であって、成形品成形金型以外は前記の実施形態をもって説明する。
【００４２】
原料樹脂を筒状パリソンｐにするクロスヘッドダイ１１を有する押出機１と、筒状パリソンｐを吊り具１０が付いた有底状プリフォームＰに成形するプリフォーム成形金型２と、一次エアを吹込んで吊り具付き有底状プリフォームＰに成形する一次エア吹込装置４およびと二次エアの吹込と縦方向の伸長をして吊り具付き中空成形品Ｓに成形する二軸延伸装置６と、これに図８及び図９に示す、吊り具付き有底状プリフォームＰを吊り具１０が付いた中空成形品Ｓに成形する成形品成形金型５０とから構成してある。
【００４３】
クロスヘッドダイ１１を介して垂下する筒状パリソンｐを所定の長さに切断するパリソン切断装置３、図示してない成形金型２、５０を型締する型締装置や、クロスヘッドダイ１１と一次エア吹込装置４と二軸延伸装置６の間において前記の成形金型２、５０を交互に移動させる成形金型移動装置なども前記の実施形態と同様に備えている。
【００４４】
これら押出機１、プリフォーム成形金型２、一次エア吹込装置４および二軸延伸装置６の構造や機能は、前記の実施形態と同様である。
【００４５】
成形品成形金型５０は、二軸延伸装置６の二次エア吹込ノズル６１およびストレッチロッド６２の下方に位置して、吊り具付き有底状プリフォームＰが挿入され、この吊り具付き有底状プリフォームＰを所定の吊り具１０が付いた中空成形品Ｓに成形する、底部内面に吊り具挿入用凹陥部５２が設けてある成形品成形用キャビテイ５１を備えていると共に、成形品成形用キャビテイ５１の凹陥部５２に配置されて、吊り具１０を挟持して上昇・下降するチャック５３１を設けた操作桿５３を有している。
【００４６】
この操作桿５３は、吊り具１０を挟持するチャック５３１と、チャック５３１の下方に配されてチャック５３１を上昇・下降させる操作桿本体５３２と、操作桿本体５３２の内部に配され、その先鋭部がチャック５３１の下部の三角状間隙に出・入して楔作用でチャック５３１の開閉動作をする作動桿５３３とで構成してある。
【００４７】
このように構成された二軸延伸押出ブロー成形機において、前記の実施形態と同様にして、ポリエチレン、ポリプロピレン、ポリエチレンテレフタレートなどの原料樹脂を押出機１で溶融・軟化させて、筒状パリソンｐとして垂下させ、この筒状パリソンｐをプリフォーム成形用キャビティ２１を有するプリフォーム成形金型２内に供給する。
【００４８】
筒状パリソンｐをプリフォーム成形金型２で、一方端に吊り具１０を一体的に形成して閉塞すると共に、筒状パリソンｐの上方をパリソン切断装置３で切断する。
【００４９】
プリフォーム成形金型２内に供給され筒状パリソンｐに対して一次エア吹込ノズル４１を挿入し、一次エアを吹込んで、筒状パリソンｐをプリフォーム成形用キャビティ２１に膨出させて、吊り具１０が付いた有底状プリフォームＰに成形する。
【００５０】
成形された吊り具付き有底状プリフォームＰは、図８及び図９に示すように、ねじ部を設けた開口部と胴部および吊り具１０が付いた底部とから形成されている。
【００５１】
成形された吊り具付き有底状プリフォームＰは、吊り具挿入用凹陥部５２を設けた成形品成形用キャビティ５１を備えていると共に、成形品成形用キャビテイ５１の下方に配置された、吊り具１０を挟持して上昇・下降する操作桿５３を有している成形品成形金型５０内に供給されて吊り具１０が付いた中空成形品Ｓに成形される。
【００５２】
吊り具付き有底状プリフォームＰを延伸適温のガラス転移点付近の温度にした後、プリフォーム成形金型２を型開して、吊り具付き有底状プリフォームＰを一次エア吹込ノズル４１に吊下した状態で、型開された成形品成形用キャビティ５１を有し金型温度が５〜７０℃に設定されている吊り具挿入用凹陥部５２を設けた成形品成形金型５０内に供給する。
【００５３】
吊り具付き有底状プリフォームＰを成形品成形金型５０内に供給した後、一次エア吹込ノズル４１を上昇させて吊り具付き有底状プリフォームＰの開口部より離脱させ、吊り具付き有底状プリフォームＰを成形品成形金型５０内に内在させ、後に、成形品成形金型５０を型閉する。
【００５４】
なお、一次エア吹込ノズル４１の上昇・下降は、一次エア吹込ノズル４１に連通する一次エア吹込ノズル用駆動機構４２の電動機４３によって行われる。
【００５５】
次いで、吊り具付き有底状プリフォームＰを内在した吊り具挿入用凹陥部５２を設けた成形品成形金型５０を、成形金型移動装置（図示せず）によって、吊り具付き有底状プリフォームＰに成形した位置より中空成形品Ｓに成形する位置に移動させる。
【００５６】
その後、二軸延伸装置６に備えた二次エア吹込ノズル６１とストレッチロッド６２の両者を同調させて下降して、二次エア吹込ノズル６１の端縁を吊り具付き有底状プリフォームＰの開口部の天面などに当接してその吊り具付き有底状プリフォームＰの開口部近傍を水密的に封止すると共に、ストレッチロッド６２の少なくとも先端部を吊り具付き有底状プリフォームＰ内に挿入する。
【００５７】
同時に、操作桿５３の内部に配した先鋭部をチャック５３１の下部の三角状間隙より出してチャック５３１を開口状で下方に位置してあった作動桿５３３を、その操作桿本体５３２を操作・上昇させて開口状のチャック５３１で有底状プリフォームＰの吊り具１０を挟持し、その状態で操作桿本体５３２に配した作動桿５３３を上昇させ、その先鋭部をチャック５３１の下部の三角状間隙に挿入させてチャック５３１を閉鎖して吊り具１０を図１０に示すように挟持する。
【００５８】
続いて、吊り具付き有底状プリフォームＰ内へ二次エア吹込ノズル６１およびストレッチロッド６２を介して二次エアを吹込むと共に、ストレッチロッド６２を伸長し、同時に操作桿５３を、そのチャック５３１で吊り具１０を挟持した状態で下降させ、吊り具付き有底状プリフォームＰを、吊り具挿入用凹陥部付き成形品成形金型５のキャビティ５１に一致し、かつ有底状プリフォームＰの吊り具１０が凹陥部５２に挿入するまで縦・横方向に延伸させて中空成形品Ｓに成形する。
【００５９】
二次エア吹込ノズル６１の二次エア吹込みとストレッチロッド６２の伸長は、二次エア吹込ノズル６１による吊り具付き有底状プリフォームＰの開口部近傍の封止、およびストレッチロッド６２の吊り具付き有底状プリフォームＰの開口部への挿入とほぼ同時に行う。
【００６０】
吊り具付き中空成形品Ｓに成形された後、成形品成形金型５を型開して、成形された吊り具付き中空成形品Ｓを二次エア吹込ノズル６１に吊下した状態で、成形品成形金型５より離型させ、所定の位置に移送して吊り具付き中空成形品Ｓを集積する。
【００６１】
本発明の二軸延伸押出ブロー成形方法において、有底状プリフォームの開口部近傍を封止すると共に二次エアを吹込む二次エア吹込ノズルを上昇・下降させる二次エア吹込ノズル用駆動機構と、有底状プリフォーム内に挿通して二次エアを吹込むと共に縦方向に伸長するストレッチロッドを伸長・縮小させるストレッチロッド用駆動機構とを電動機で駆動して、二次エア吹込ノズルを所定の下降速度で下降させると共にストレッチロッドを二次エア吹込ノズルの下降速度に同調した下降速度で下降させて有底状プリフォームに挿入し、後に、有底状プリフォームを縦・横に延伸する成形方法で説明したが、次のようであっても良い。
【００６２】
二次エア吹込ノズルとストレッチロッドの同調は、ストレッチロッドが二次エア吹込ノズルより僅かながら先行して下降し二次エア吹込ノズルがストレッチロッドに距離を置いて追随して下降するようにしたもの、あるいは、二次エア吹込ノズルがストレッチロッドを押すようにして下降して結果両者が同調して下降するようになったものであっても良い。
【００６３】
このように、有底状プリフォームの開口部近傍を封止すると共に二次エアを吹込む二次エア吹込ノズルを上昇・下降させる二次エア吹込ノズル用駆動機構と、有底状プリフォーム内に挿通して二次エアを吹込むと共に縦方向に伸長するストレッチロッドを伸長・縮小させるストレッチロッド用駆動機構とを電動機で駆動して、二次エア吹込ノズルを所定の下降速度で下降させると共にストレッチロッドを二次エア吹込ノズルの下降速度に同調した下降速度で下降させて有底状プリフォームに挿入し、後に、有底状プリフォームを縦・横に延伸するようにしたものは、二次エア吹込ノズルとストレッチロッドの上方の下降開始位置から両者の下降完了位置までの時間が短くなり、成形サイクルがより短縮できると共に、二次エア吹込ノズルとストレッチロッドの連携動作が精緻に、かつ機能的にコントロールすることが容易にでき、好適な生産効率を得ることができ、良好な品質の中空成形品の成形に繋がり好適である。   
【００６４】
しかし、ストレッチロッドを二次エア吹込ノズルの下降に同調させることなく、二次エア吹込ノズルを所定の下降速度で下降させる二次エア吹込ノズル用駆動機構とストレッチロッドを所定の下降速度で下降させるストレッチロッド用駆動機構とに各々油圧または圧空の駆動源を備え、この駆動源を別々に連携して作動させ、二次エア吹込ノズル用駆動機構とストレッチロッド用駆動機構とを機能させて、二次エア吹込ノズルの下降による有底状プリフォームの開口部近傍の封止やストレッチロッドの下降による有底状プリフォーム内への挿入を行っても良い。
【００６５】
以上、本発明の二軸延伸押出ブロー成形方法は、筒状パリソンをプリフォーム成形金型内で吊り具付き有底状プリフォームに成形し、その有底状プリフォームを吊り具挿入用凹陥部を設けた成形品成形金型内で、その有底状プリフォームを二次エアの吹込とストレッチロッドの伸長で、プリフォームに設けた吊り具を凹陥部に挿入し、かつ成形品成形金型のキャビティに一致するまで縦・横に延伸するもの、及び、成形品成形金型に備えた操作桿を、そのチャックで吊り具を挟持して二次エアの吹込とストレッチロッドの伸長に合わせて下降させて、プリフォームに設けた吊り具を凹陥部に挿入し、かつ成形品成形金型のキャビティに一致するまで縦・横に延伸するものであるので、次のような作用効果を奏するものである。
【００６６】
筒状パリソンをプリフォーム成形金型で吊り具付き有底状プリフォームに成形することで、吊り具が有底状プリフォームの底部に確実に形成され、しかも、この有底状プリフォームを成形品成形金型内で二次エアの吹込とストレッチロッドの伸長により、その吊り具を凹陥部に挿入すると共に、凹陥部面に当接・圧接させることで、接合痕（ピンチオフ）が目立ち難くなり、吊り具が中空成形品本体部により確実に形成することができるものである。
【００６７】
また、吊り具付き有底状プリフォームを、二次エアの吹込とストレッチロッドの伸長により成形品成形金型のキャビティに一致するまで縦・横に延伸することで、肉厚のコントロールが行い易く、良好な透明性などを有した優れた精度の吊り具付き中空成形品を形成することができるものである。
【００６８】
さらに、プリフォーム成形金型を所定範囲で比較的任意の形状に製作できるので、成形されたプリフォームの直径と肉厚の比も管理でき、そのために直径方向に対する長さ方向のブロー比（延伸）が成形品に対して適正化でき、プリフォームの温度分布にムラがなく薄肉の成形品の場合でも偏肉を生じることがないものである。
【００６９】
加えて、吊り具付き有底状プリフォームを、二次エアの吹込とストレッチロッドの伸長に加えて、有底状プリフォームの下方外方よりの操作桿の下降による伸長により、その吊り具を凹陥部に挿入すると共に、凹陥部面に当接・圧接させることで、一層、有底状プリフォームの延伸が確実になり、原料樹脂の有する特性を発揮させると共に、良好な品質を有する吊り具付きの中空成形品が成形することができるものである。
【図面の簡単な説明】
【００７０】
【図１】筒状パリソンの成形方法の説明側面図である。
【図２】図１のプリフォーム成形金型を閉鎖した状態の部分正面図である。
【図３】有底状プリフォームの成形方法の一部拡大説明正面図である。
【図４】有底状プリフォームを縦方向に延伸する一部拡大説明正面図である。
【図５】有底状プリフォームの説明正面図である。
【図６】有底状プリフォームを横方向に延伸する一部拡大要部説明正面図である。
【図７】中空成形品の説明正面図である。
【図８】別の実施形態の成形品成形金型の説明正面図である。
【図９】別の実施形態の有底状プリフォームを縦方向に延伸する一部拡大説明正面図である。
【図１０】別の実施形態の有底状プリフォームの吊り具を挟持した部分拡大説明正面図である。
【符号の説明】
【００７１】
１・・・押出機
２・・・吊り具付き有底状プリフォーム成形金型
３・・・パリソン切断装置
４・・・一次エア吹込装置
５、５０・・・吊り具付き成形品成形金型
６・・・二軸延伸装置
１０・・・吊り具
１１・・・クロスヘツドダイ
１２・・・原料投入用ホッパー
２１・・・吊り具付き有底状プリフォーム成形用キャビティ
４１・・・一次エア吹込ノズル
４２・・・一次エア吹込ノズル用駆動機構
４３・・・一次エア吹込ノズル用駆動機構の電動機
５０・・・吊り具付き成形品成形金型
５１・・・吊り具付き成形品成形用キャビティ
５２・・・吊り具挿入用凹陥部
５３・・・操作桿
５３１・・・チャック
５３２・・・操作桿本体
５３３・・・作動桿
６１・・・二次エア吹込ノズル
６２・・・ストレッチロッド
６３・・・二次エア吹込ノズル用駆動機構
６４・・・ストレッチロッド用駆動機構
６５・・・二次エア吹込ノズル用駆動機構の電動機
６６・・・ストレッチロッド用駆動機構の電動機
ｐ・・・筒状パリソン
Ｐ・・・吊り具付き有底状プリフォーム
Ｓ・・・吊り具付き中空成形品
【図１】
2005074864.tif 000003
【図２】
2005074864.tif 000004
【図３】
2005074864.tif 000005
【図４】
2005074864.tif 000006
【図５】
2005074864.tif 000007
【図６】
2005074864.tif 000008
【図７】
2005074864.tif 000009
【図８】
2005074864.tif 000010
【図９】
2005074864.tif 000011
【図１０】
2005074864.tif 000012